(57)【特許請求の範囲】
【請求項１】
口部にゴミ袋の袋口を着脱できるように受け止める袋口装着段部を持ったごみ容器と、対向し合う２箇所にヒンジ連結した折り曲げ部を有するとともに前記ごみ容器に収容するごみ袋の袋口を折り返して巻き付け袋口装着段部に載置し落ち着かせる枠部材とを備え、
前記袋口装着段部の前記折り曲げ部に対応する部分とこれら折り曲げ部による各自由端部に対応する部分とに、前記袋口装着段部に前記枠部材を載置した場合に、前記枠部材及びこれに巻きついた袋口部分から離れる凹部を設けた、ことを特徴とするごみ収容装置。
【発明の詳細な説明】
【０００１】
【産業上の利用分野】
本発明はごみ収容装置に関し、詳しくは口部にごみ袋の袋口を着脱できるように受け止める袋口装着段部を持ったごみ容器と、このごみ容器に収容するごみ袋の袋口を折り返して巻付け袋口装着段部に載置し落ちつかせる枠部材とを備えたごみ収容装置に関するものである。
【０００２】
【従来の技術】
ごみを収容し、所定量収容したところで取出し廃棄するのに、ごみ容器を汚さない、収容したごみを処理しやすくすると云ったことから、ごみ容器には使い捨てのごみ袋を収容しておき、これにごみを受入れて、所定量に達したときごみ袋に入ったまま取り出し、そのまま廃棄することが広く行われている。
【０００３】
この場合、使用されるごみ容器およびごみ袋が大きいほど、ごみ袋の大きな口部をごみ容器の口部に安定させるために、袋口を折り返して巻きつけごみ容器の口部に安定に載置する枠部材が多く利用されている。
【０００４】
そして、ごみ容器の口部には前記枠部材に巻きつけて載置される袋口が安定するように上向きの平坦で環状な袋口装着段部を形成しているものが多く、袋口は枠部材の働きによって袋口装着段部によく落ち着き、その後のごみの投入によっても乱れたり、脱落したりするようなことはない。
【０００５】
【発明が解決しようとする課題】
しかし、袋口装着段部に枠部材に折り返し巻きつけた袋口部を載置してごみ容器に収容したごみ袋は、ごみ容器の内面から大きく浮き上がっていることが多く、これを後から手で抑えてごみ容器の内面に沿わせようとしても容易ではない。
【０００６】
このため、従来はごみ容器の内面からごみ袋が浮き上がっていても、これを止むなしとしてそのまま使用されることが多い。この場合、ごみ容器の収容容積が狭まるのでごみの収容効率が低下する。
【０００７】
また、ごみ容器およびごみ袋の大型化が進むにつれ、大きな枠部材に柔らかく大きな袋口を折り返し巻きつけるのは容易でなく、作業が面倒になってきている。
【０００８】
本発明は、上記のような問題を解消することを課題とし、ごみ袋をごみ容器の内面に沿わせ易く、しかも、袋口の着脱が容易なごみ収容装置を提供することを主たる目的とするものである。
【０００９】
【課題を解決するための手段】
上記のような目的を達成するために、請求項１の発明は、口部にゴミ袋の袋口を着脱できるように受け止める袋口装着段部を持ったごみ容器と、対向し合う２箇所にヒンジ連結した折り曲げ部を有するとともに前記ごみ容器に収容するごみ袋の袋口を折り返して巻き付け袋口装着段部に載置し落ち着かせる枠部材とを備え、前記袋口装着段部の前記折り曲げ部に対応する部分とこれら折り曲げ部による各自由端部に対応する部分とに、前記袋口装着段部に前記枠部材を載置した場合に、前記枠部材及びこれに巻きついた袋口部分から離れる凹部を設けたことを特徴とするものである。
【００１３】
【作用】
請求項１の発明の上記構成では、ごみ容器にごみ袋を収容して使用するのに、袋口を枠部材に折り返し巻きつけた状態でごみ容器の口部に設けられた袋口装着段部に載置すると、袋口は枠部材とともに袋口装着段部に受止められて安定し、ごみの投入によっても乱れたり、脱落するようなことなく使用することができる。
【００１４】
特に、袋口装着段部に設けた凹部は、袋口装着部に載置した枠部材およびこれに折り返し巻きつけた袋口から離れているので、この離れた部分に手を入れることにより、載置した袋口部を難なく持ち上げられるし、載置するときでも載置作業する人の手を凹部内に逃がせられるので、袋口の着脱が容易である。
【００１５】
しかも、ごみ容器に収容し袋口を袋口装着段部に載置したごみ袋が、ごみ容器の内面から浮き上がっていても、ごみ袋の内面をごみ容器の内周に沿わせるように手で押すと、ごみ袋とごみ容器との間に入り込んでごみ袋をごみ容器の内面から浮かせていた空気が前記袋口装着段部の凹部によって枠部材およびこれに折り返し巻きつけた袋口から離れている部分を通じて外部に追い出しながら、ごみ袋をごみ容器の内面に難なく短時間で沿わせられるので、ごみ袋がごみ容器から浮いた状態のまま効率悪く使用されることを解消することができる。
【００１６】
また、凹部が、ごみ容器の少なくとも２か所にあって、袋口の両側を持って着脱しようとする両手に対する逃げとして同時に働くので、袋口の着脱に更に便利になるし、ゴミ容器の内面から浮いたごみ袋をその内面に沿わせるときの空気の逃げを複数箇所の凹部にて更に促進するので、ごみ袋をごみ容器の内面にさらに沿わせ易くなる。
【００１７】
さらに、枠部材を袋口装着段部に先に載置しておき、その上でごみ容器にごみ袋を収容して袋口を枠部材の上に被さるようにし、次いで枠部材の半部を、対向し合う２か所に設けられたヒンジ連結した折曲げ部にて折り曲げるようにして起こすと、これに被さっている袋口を起こした枠部材半部の自由端部の下側に折り返して巻き付け、この袋口を巻きつけた枠部材の半部をそのまま袋口装着段部の上に倒してその自由端部側の袋口部分を装着状態とし、同様に反対側の半部を一旦起こして倒すことによりこれの自由端部の袋口部分を装着状態とし、最後に相対向している２か所にある枠部材の各折曲げ部をこれに被っている袋口と共に両側の手で同時に持ち上げながら袋口を各折曲げ部の下側に折り返して巻き付けた後、折り曲げ部を袋口装着段部に落ち着かせると、袋口の残る部分を一挙に装着状態にすることができ、ごみ容器およびごみ袋の袋口が大きな場合でも枠部材を巧みにしかし簡易に用いて部分的に容易に装着することができる。
【００１８】
さらにまた、袋口装着段部の凹部が、枠部材の、２か所の折曲げ部に対応する部分と、これら折曲げ部による各自由端部に対応する部分とに設けられて、枠部材の各自由端部および折曲げ部の前記持ち上げ作業をする手に対し逃げとして働くので、折曲げ部を有する枠部材を利用した袋口の部分的な装着をさらに容易にする。しかも、袋口装着段部に凹部が多い分だけごみ袋をごみ容器の内面に沿わせるときの空気の逃げをよくするのでさらに有利である。
【００１９】
【実施例】
以下本発明のごみ収容装置をキッチンの流し台に設けられるごみ投入口に適用した場合の実施の形態について、図を参照しながら説明する。
【００２０】
図１、図２に示しているように、一般家庭のキッチンに設置される流し台１に適用されている。流し台１は、合成石や自然石よりなるワークトップ板２を有し、これの一部に形成した開口２ｂに水槽３を形成したステンレス製のシンク部材６が下方から当てがわれて、水槽３を持った流し台１のワークトップ２ａをなしている。もっとも、ワークトップ２ａの全域がシンク部材６と同じ材料で形成されてもよいし、この場合一体構成とすることができる。
【００２１】
流し台１の上面には図示しないコンロ等のその他必要なものが設けられる。また、流し台１のワークトップ２ａの下には扉４を持った収納部５が設けられるし、必要に応じて魚焼器やガスオーブン、その他の調理具、食器洗い器、食器乾燥機等が設置される。
【００２２】
ワークトップ２ａには、シンク部材６のワークトップ板２と水槽３との間に設けたワークトップ２ａとに浅い段差Ｓ２を持った中間凹陥面７を利用して、周りと段差Ｓ１を持った凹陥部８が設けられている。しかし、段差Ｓ２は省略することもできる。この凹陥部８には主として生ごみを投入する第１の投入口１１と、主として乾燥ごみを投入する第２の投入口１２とを前後に並設して個別の第１、第２のごみ容器１３、１４が接続されるようにし、凹陥部８内を第１の投入口１１の側と第２の投入口１２の側との間でスライドし第１の投入口１１を開閉する第１の蓋１５と、凹陥部８の開口縁８ａ上に載り凹陥部８の内周面８ｂ両側のガイドを受けて第２の投入口１２側と第１の投入口１１側との間で第１の蓋１５の上をスライドし第２の投入口１２を開閉する第２の蓋１６とを備えている。
【００２３】
第１、第２の投入口１１、１２の後部から水槽３の第１、第２の投入口１１、１２側半部の後方に亘る部分には、中間凹陥面７とワークトップ２ａとの間の高さとなるワークトップ２ａと段差Ｓ３を持った補助中間凹陥面９を形成し、この補助中間凹陥面９に洗剤や洗浄具を有用する小物容器２１、２２を一体にあるいは着脱できるように設けている。補助中間凹陥面９にはさらに水道の蛇口２３が立設されている。２４は水槽３の底部の排水口を示している。
【００２４】
第１の蓋１５は凹陥部８の内周面８ｂと対向する周縁部の上面に面取り斜面１５ａを有し、第２の蓋１６は凹陥部８の内周面８ｂ両側と前記面取り斜面１５ａとの間の隙間に入り込んで内周面８ｂ両側のガイドを受けるスライド脚１６ａを有したものとしている。第２の蓋１６も凹陥部８の内周面８ｂと対向する周縁部上面に面取り斜面１６ｃを形成してある。
【００２５】
第１、第２の蓋１５、１６は双方が閉じられたときに対向縁１５ｂ、１６ｂどうしが重なり合い、第１の蓋１５の対向縁１５ｂの上面に、第２の蓋１６の対向縁１６ｂの下面の近傍まで立ち上がる防水突条１５ｃを設けてある。図に示すものは防水突条１５ｃの上端が第２の蓋１６の下面に摺接するようにしてある。
【００２６】
第１の投入口１１における第２の投入口１２側の口縁１１ａは、閉じ位置にある第１の蓋１５の対向縁１５ｂよりも第２の投入口１２の側に位置するように形成している。１５ｄ、１６ｄは第１、第２の蓋１５、１６に設けられた開閉用の手掛かり部である。
【００２７】
第１、第２の蓋１５、１６はアルミニウム製であって、表面にフッソコーティングを施すなどして撥水処理している。合成樹脂製のものに同様な加工を施したり、あるいは金属板で覆ってこれに撥水処理を行ってもよい。撥水処理は第１、第２の蓋１５、１６の少なくとも上面に施せばよい。
【００２８】
第１のごみ容器１３にはドレン配管口５２が設けられ、第１のごみ容器１３内には着脱できるごみ袋２６が設けられるようになっている。本実施の形態ではごみ袋２６は使い捨ての樹脂製のごみ袋を用いるようにしてある。
【００２９】
さらに、第１、第２のごみ容器１３、１４には内部空気を吸引する吸引手段２７を接続してある。
【００３０】
以上のような構成では、第１の蓋１５と第２の蓋１６とは互いに異なった高さで移動して、第１の蓋１５が第１の投入口１１を開閉し、第２の蓋１６が第２の投入口１２を開閉することが、互いの干渉なく個別に行え、第１、第２の投入口１１、１２からそれらに接続する第１、第２のごみ容器１３、１４にごみを自由に投入することができるし、第１、第２の投入口１１、１２の双方を閉じた状態として、内部が外観されない体裁のよい状態にしておけるし、臭気の発散をも幾分防止することができる。
【００３１】
第２の蓋１６は、凹陥部８の開口縁８ａ上に載っているので、この上に水がこぼれたり、隣接する水槽３での洗い水や濯ぎ水、あるいは第１の投入口１１部を生ごみ用としてこれを洗浄するときの洗浄水が及んだりしても、これらの水は第２の蓋１６の周りに流れる。
【００３２】
このため、凹陥部８の第２の投入口１２が設けられている部分に水が流れ落ちるようなことを防止するし、凹陥部８の第１の投入口１２が設けられている側に流れ落ちても、第１の投入口１１が洗浄等のために開いているとこれにスムーズに流れ込むので問題はなく、第１の投入口１１が閉じていて第１の蓋１５の上に水が流れ落ちることになっても、これを第１の蓋１５と凹陥部８との間の隙間を通じて第１の投入口１１に流れ込むのでこれも問題はない。
【００３３】
従って、第２の投入口１２を乾燥ごみ用としてもこれに水が及んで乾燥ごみ収納領域に侵入する問題を解消することができる。
【００３４】
また、第１の蓋１５の凹陥部８の内周面８ｂと対向する周縁部の上面に形成された面取り斜面１５ａは、凹陥部８の内周面８ｂとの間に水溜め部３１を形成し、第１の蓋１５の上に及んでこれの周りへ無秩序に流れようとする水を前記水溜め部３１に受入れながら水の表面張力を利用して一旦捕集し、この捕集部分から第１の蓋１５と凹陥部８との間の隙間を通じて第１の投入口１１部へ浸透し流れ込むようにするので、第１の蓋１５の上に比較的多量の水が流れ落ちてもこれが第２の投入口１２の部分に及ぶのを防止することができる。
【００３５】
しかも、水溜め部３１に適度に溜まる水は第１の蓋１５と凹陥部８との間の隙間から生ごみが投入される第２のごみ容器１３からの臭気が外部に漏れるのを防止するシーリング機能をも発揮する。
【００３６】
また、第２の蓋１６はこれに設けたスライド脚１６ａが、凹陥部８の内周面８ｂ両側と前記面取り斜面１５ａとの間の水溜め部３１となる隙間に入り込んで凹陥部８の内周面８ｂ両側のガイドを受けるので、第１、第２の蓋１５、１６の相互間に隙間を設けないか隙間を小さくしたかさ低い構造にて第１の蓋１５との干渉なく安定してスライドし第２の投入口１２を開閉できるようにすることができる。
【００３７】
また第１の蓋１５は面取り斜面１５ａが形成された部分よりも下の部分で凹陥部８の内周面８ｂ両側と接触してガイドを受け凹陥部内で安定してスライドし開閉できるようにもすることができる。
【００３８】
また、第１、第２の蓋１５、１６の双方が閉じられたときに対向縁１５ｂ、１６ｂどうしが重なり合って、双方の間から水が直接に凹陥部８に侵入して第２の投入口１２に及ぶようなことを阻止できるのは勿論、第１の蓋１５の対向縁１５ｂの上面に形成した防水突条１５ｃが、第２の蓋１６の対向縁１６ｂの下面まで立ち上がっていることによって、第１の蓋１５の上にこぼれ落ちた水が、第２の蓋１６の側に流れてこれとの間から第２の投入口１２の側に侵入するのをせき止めるので、第１の蓋１５の側から第２の投入口１２の側に水が及ぶのを確実に防止することができる。
【００３９】
また、上記したように、第１の投入口１１の第２の投入口１２側の口縁１１ａが、閉じ位置にある第１の蓋１５の対向縁１５ｂよりも第２の投入口１２の側に位置しているので、第１の蓋１５の上に流れ落ちた水が第２の投入口１２の側の対向縁１５ｂにまで流れて落ちるようなことがあっても、この落下位置に第１の投入口１１が開口してそれを受入れることになり、これによって第２の投入口１２に水が流れ込むようなことをさらに確実に防止することができる。
【００４０】
第１、第２の蓋１５、１６の少なくとも上面が撥水処理されていることによっては、これらにこぼれ落ちる水を弾いて周囲へスムーズに流れ落ちるようにするので、いつまでも溜まっているようなことがなくなる。第２の蓋１６も中間凹陥面７への水の流れをよくするために面取り斜面１６ｃが設けられている。
【００４１】
また、前記のように凹陥部８が、ワークトップ２ａと水槽３部との間に設けられた浅い中間凹陥面７に設けられているので、凹陥部８の開口縁８ａ上に載っている第２の蓋１６の上から周りに落ちる水の大半は前記中間凹陥面７に流れ落ちるが、この水は中間凹陥面７よりも高いワークトップ２ａに及ぶことはなく、中間凹陥面７よりも低い水槽３や、前記したように凹陥部８の第１の蓋１５の上に流れる。
【００４２】
従って、ワークトップ２ａを汚したり、濡らしたりするようなことを回避できるし、多量の水がこぼれ落ちた場合でも大半が水槽３へ流れ込むので、水が多量なことによって第２の投入口１２に及ぶようなことを防止しやすくなる。
【００４３】
第１のごみ容器１３にはドレン配管口５２があって排水できるので、生ごみの水気を切って流し去ることができるし、第１の投入口１１および第１のごみ容器１３を洗浄することもできるので、清潔に保ちやすい。しかも、第１、第２の投入口１１、１２の上方にこぼれ落ちる水を第１の投入口１１に導いても、これが溜まって問題になるようなことを回避することができる。
【００４４】
第１のごみ容器１３内に使い捨てのごみ袋２６が着脱できるように設けられるので、ごみ袋２６の上方からの出し入れによって第１の投入口１１から第１のごみ容器１３に投入される生ごみ等を、第１の投入口１１の上方から取出し処理することができ、ワークトップ２ａの下の流し台１内で第１のごみ容器１３を着脱する場合に生じ勝ちな、生ごみやこれから落ちる汚水で流し台１内を汚すようなことを回避できるし、生ごみを少量ずつ作業性よく処理するのに便利である。特にごみ袋２６が使い捨ての安価な袋であるので取り出した生ごみと一緒に廃棄して問題はなくさらに便利である。
【００４５】
さらに、本実施の形態では第１、第２のごみ容器１３、１４内の空気を、これらに接続された吸引手段２７によって吸引し、第１、第２のごみ容器１３、１４内のごみから発散する臭気を内部空気とともに排除するので、これら臭気が流し台１の外まわりに発散するのを、第１、第２の蓋１５、１６が閉じられるだけの場合に比し、十分に防止することができる。
【００４６】
第１、第２の投入口１１、１２の並び方は特に限定されないが、本実施の形態におけるように前後に並設されていると、第２のごみ容器１４はかさ高い乾燥ごみ用に大きく形成されても、これを流し台１の収納部５の奥行き空間を利用し、収納部５の前面から出し入れできるように設置して体裁よく使用されるようにすることができる。この際第２の容器１４は生ごみ用となる第１のごみ容器１３の手前に位置するので、前記収納部５の前面からの出し入れに好都合となる。
【００４７】
また、第１の投入口１１が第２の投入口１２の後方に位置することにより、ワークトップ２ａと中間凹陥面７に着脱およびスライドできるように載置される図示しない水切板とにまな板を跨がらせるなどして、第２の投入口１２の上にまな板を置き、この上で調理の下ごしらえを行いながら生じる生ごみ、例えば魚の臓物等を、その都度、まな板の上からこれの後方に位置する第１の投入口１１に直接投入して処理すると言ったことができ好適である。
【００４８】
第２のごみ容器１４が収納部５の奥行き空間を十分に有効利用できるように、生ごみ用の第１のごみ容器１３は、生ごみが比較的かさ低く、しかも頻繁に取り出して処理されることを考えて、比較的浅い小さなものとし、これの下の空間をも第２のごみ容器１４の収納スペースとして利用するようにしてある。
【００４９】
ところで、本実施の形態の流し台１は、ワークトップ板２を除き、図２に太枠で囲って示したシンク材ブロックＡ、シンク材ブロックＡの下に設置される収納庫ブロックＢ、シンク材ブロックＡに装着される投入口ブロックＣ、および投入口ブロックＣの下に接続されるごみ容器ブロックＤで構成されている。
【００５０】
従来の場合同様にキッチンの床面および壁面を利用して収納庫ブロックＢが固設され、この収納庫ブロックＢを利用してワークトップ板２およびシンク材ブロックＡが相互間をシールされた状態で支持し取付けられる。
【００５１】
シンク材ブロックＡをなすシンク部材６には、図４に示すように投入口ブロックＣおよびごみ容器ブロックＤを取付けるごみ処理用開口３２が設けられている。このごみ処理用開口３２の口縁上面には投入口ブロックＣを当てがい、口縁下面にはごみ容器ブロックＤを当てがい、双方を図８、図１８、図１９に示すように、ねじ部材としてのボルト３３にてごみ容器ブロックＤの側から投入口ブロックＣに螺合して結合することによって、ごみ処理用開口３２の口縁部にこれを投入口ブロックＣとごみ容器ブロックＤとで挟み付けるようにして取付けてある。
【００５２】
これにより、ごみ容器ブロックＤはワークトップ２ａのごみ処理用開口３２の口縁の下部に当てがわれて、ワークトップ２ａの下に第１、第２のごみ容器１３、１４を位置させるので、第２のごみ容器１４のようにワークトップ２ａの下の収納部５の空間を利用して大きなものでも、ワークトップ２ａ上で他の邪魔になったり、不体裁になったりしないで設けることができる。
【００５３】
特に、ワークトップ２ａのごみ処理用開口３２の口縁の上部に当てがったごみ投入口１１、１２を有した投入口ブロックＣと、前記口縁の下部に当てがった第１、第２のごみ投入口１１、１２に通じる第１、第２のごみ容器１３、１４を備えたごみ容器ブロックＤとを、ごみ容器ブロックＤの側から投入口ブロックＣにボルト３３を螺合して結合するので、投入口ブロクＣとごみ容器ブロックＤとが、共にごみ処理用開口３２の口縁を共通の基準として取付けられ一体化されるので、流し台１の組み立て精度のばらつきは勿論、作業者の個人差や作業のばらつきの影響もなく高精度に一体化できる。しかも、投入口ブロックＣに下方から螺合するボルト３３は投入口ブロックＣの上面に露出しないので、ねじ止め部を隠したり、飾ったりするような部材も不要であるので、必要な部品点数が少なくて体裁のよいものとすることができる。
【００５４】
この取付け作業がさらに容易なように、ごみ容器ブロックＤの本体４１の上端のごみ処理用開口３２の口縁下面に当てがうフランジ４１ａ部の相対向し合う前後の各辺の左右に仮止め金具４２、４２および４３、４３を設けてある。一辺側の左右仮止め金具４２、４２は本体４１の上端部にねじ４４によって固定され、他辺側の左右の仮止め金具４３、４３は前記相対向する方向である前後に移動できるようにねじ４５によって取付けられている。
【００５５】
これらを利用した仮止め手順は、本体４１をごみ処理用開口３２の口縁下面に当てがって、固定側の仮止め金具４２、４２の係合爪４２ａ、４２ａを、ごみ処理用開口３２の口縁後部に引っ掛けて本体４１の後部を仮支持し、次いで、可動側の仮止め金具４３、４３を後退位置にしておいて、これを本体４１の前部側を持ち上げることによりごみ処理用開口３２の下方から上方へ抜けさせ、この後仮止め金具４３、４３を前方へ移動させることにより、これの係合爪４３ａ、４３ａをごみ処理用開口３２の口縁前部に引っ掛けて本体４１の前部を仮支持する。
【００５６】
仮止め金具４３、４３による仮支持が安定するように、仮止め金具４３の取付け基板４３ｂの一部に設けた下向きの弾性凸部４３ｃが、仮止め金具取付け面に形成した係合凹部４１ｂに弾性係合して、前記仮支持位置によく保持され、不用意に後退しないようにしてある。
【００５７】
仮止め金具４３、４３は後退位置にも安定しないと、本体４１の前部の仮支持作業の際に仮止め金具４３、４３がごみ処理用開口３２の口縁に干渉したりするので、後退位置にも別の係止凹部４１ｃに弾性凸部４３ｃが弾性係合して安定するようにしてある。
【００５８】
これによって、ごみ容器ブロックＤをワークトップ２ａのごみ処理用開口３２の口縁下部に当てがうのに、ごみ容器ブロックＤをごみ処理用開口３２に仮止めして脱落しないようにすることができ、ごみ処理用開口３２の口縁上部に当てがった投入口ブロックＣと結合する作業の際にごみ容器ブロックＤを支えておかなくてもよくなり、作業性が向上する。
【００５９】
投入口ブロックＣは図３に示すように、第１、第２の蓋１５、１６、およびこれらを保持する凹陥部８および開口縁８ａと、第１、第２の投入口１１、１２とを有する口部材４６とで構成され、口部材４６のフランジ４６ａがごみ処理用開口３２の口縁上面に載り、本体４１側のフランジ４１ａ部まわりで下方から上方に貫通するようにした６本のボルト３３を、フランジ４６ａのまわりでこれの下方に突出するように一体形成された連結脚４６ｂに螺合させることにより、ボルト３３の締結フランジ面３３ａとの間でばね部材７２を介して締結して、口部材４６と本体４１とを双方のフランジ４６ａ、４１ａ間にシンク部材６のごみ処理用開口３２の口縁を挟み付ける状態で結合するようにしてある。ばね部材７２は皿ばねに代えたりすることができるし、特に必要ではない。ボルト３３の下端操作部３３ｂは本体４１の下に臨出し、下方よりボックススパナ等の工具を用いて締結操作できるようにしてある。
【００６０】
しかし、操作部３３ｂの形式は自由であり場合によっては手操作できるものでもよい。また、必ずしも本体４１の下に臨出していなくてもよく、本体４１まわりから操作できればよい。
【００６１】
ここで、フランジ部４６ａは図８、図１０に示すようにこれの上面で凹陥部８の開口縁８ａを形成し、この開口縁８ａが前記した中間凹陥面７に対してＳ４の段差を持つようにしている。これによって、第２の蓋１６から中間凹陥面７に落ちる水は凹陥部８に戻ることはなく、その全てが水槽３に流れ落ちるようにすることができる。
【００６２】
なお、フランジ４６ａの下面にはシンク部材６のごみ処理用開口３２の口縁上面との間をシールするシール部材４７と、フランジ４１ａの上面に設けた環状の内側シール壁４１ｅとの間をシールするシール部材４８とを保持する保持溝４６ｅ、４６ｆが設けられ、フランジ４１ａには保持溝４６ｅと対向する外側環状壁４１ｆが形成され、シンク部材６のごみ処理用開口３２の口縁とフランジ部４６ａとの間のシール部材４７によるシール部をバックアップするようにしてある。
【００６３】
本体４１は合成樹脂製であって、図３に示すようにフランジ部４１ａに開口する第２のごみ容器１４、および第２の投入口１２と第２のごみ容器１４との連絡通路５１とが一体に形成され、第１のごみ容器１３の底部に設けたドレン配管口５２は図８に示すように本体４１の側方に臨出しており、この臨出部にドレン配管５３が接続されるようにしてある。
【００６４】
本体４１の下端には合成樹脂製の底板５４がねじ５５で取付けられ、この底板５４の左右両側には図１２、図１３、図１９に示すように第２のごみ容器１４を流し台１の収納部５の前部から出し入れできるようにするレール部材５６、５６がねじ７０により取り付けて設けられている。
【００６５】
底板５４には図８、図１２、図１３に示すように連絡通路５１との間をシール部材５７によりシールして接続された開口５８を有し、この開口５８を囲う第２のごみ容器１４との接続のための当たり面１６１に下向きの矩形なシール部材５９が設けられている。このシール部材５９は第２のごみ容器１４の上端開口１４ａに対応した形状および大きさを有している。
【００６６】
ここでレール部材５６、５６は、図１２、図１３に示すように第２のごみ容器１４の左右両側に設けたフランジ部１４ｄを受けてこれを出し入れできるように案内するＬ型のガイドレール５６ａ、５６ａを有している。しかし、ガイドレール５６ａの後端部には、第２のごみ容器１４を押し入れる第２の投入口１２との接続位置の直前となる図１５に示す最終段階で、フランジ部１４ｄの上向き斜面部１４ｅが乗り上げるガイドローラ６１が設けられ、以降これを上方に持ち上げて第２のごみ容器１４の奥部側をシール部材５９の奥部へ図１６に示すように下方より押圧するようにしている。もっとも、ガイドローラ６１は回転しなくても滑りよく同様な案内ができればよい。
【００６７】
一方、第２のごみ容器１４の手前部には、図１２に示すように基部を軸６２により起伏できるように支持された操作レバー６３と、この操作レバー６３の途中部分に基部を軸６４で枢支されたフック６５とを持った引きつけ機能を持ったバックル６６が設けられ、第２のごみ容器１４が最終位置まで押入れられた時点で、操作レバー６３を図１７の仮想線の状態に一旦上方の側に反転させることによってフック６５を持ち上げておき、次いでフック６５を底板５４の前部に一体形成された係合部６７に係合させた後、操作レバー６３を図１６、図１７の実線の上位に下向きに反転させてフック６５を下方に引き下げると、操作レバー６３が係合部６７に係合したフック６５を介して第２のごみ容器１４の手前部を持ち上げてシール部材５９の前部に下方より押しつけ、第２のごみ容器１４の口縁１４ｆが全周でシール部材５９に圧着し、開口５８、連絡通路５１に接続する。
【００６８】
そして前記第２のごみ容器１４のシール部材５９への押付けによるシール部材５９の戻り反力が操作レバー６３を下方への反転位置に安定させる力となるようにしてあり、したがって、操作レバー６３を一旦下方に反転させて第２のごみ容器１４を装着した以降、不用意にこれが解除されることはなく、第２のごみ容器１４の接続を解除するには操作レバー６３を人が操作してフック６５の係合部６７との係合を外さないと達成されない。もっとも、第２のごみ容器１２の側に係合部６７を設け、バックル６６を連絡通路５１等の第２の投入口１２側に設けることもできる。また、シール部材５９は必須のものではない。場合によっては省略できる。
【００６９】
接続が解除されると、第２のごみ容器１４はフランジ部１４ｄをガイドレール５６ａで受けられているだけであるので、難なく引き出せる。この第２のごみ容器１４を挿入したり引き出したりするのに、前記バックル６６を設ける部分が第２のごみ容器１４の前面から一部が浮いて手掛かりを形成する手掛かり部６８としてある。
【００７０】
以上のように、第２のごみ容器１４の接続構造では、シール部材５９が無くても全体が当たり面１６１に押圧した状態で第２の投入口１２側に接続され、シール部材５９があるとさらにシール性が向上して、第２のごみ容器１４が出し入れされるものであることの影響なくごみや臭気が漏れ出るようなことを防止することができ、逆の操作によって第２のごみ容器１４は第２の投入口１２側との接続が解除され引き出せる。しかも、ガイドレール５６ａ、５６ａ上のガイドローラ６１と第２のごみ容器１４と第２の投入口１２側を連結する引きつけ式のバックル６６とを有するだけの簡単な構造であるので従来の昇降機構を有するものに比してコストも低減する。また、操作も第２のごみ容器１４の出し入れにと同時に奥部側がガイドローラ６１の案内のもとに第２の投入口１２側の当たり面１６１への押圧とこの押圧の解除とが達成されて、押圧および押圧解除のための特別な操作は不要で、第２のごみ容器１４の手前側部分でのシール部材５９または当たり面１６１への押圧とこの押圧の解除とはバックル６６による簡単な連結操作および連結解除操作にて達成されるので、操作が簡単で使用しやすいものとなる。
【００７１】
また、第２のごみ容器１４が接続位置の直前位置まで押入れられた以降、シール部材５９の奥側部分の表面に摺接するので、シール部材５９のままであるとそれとの間に強い摩擦が生じ、最終接続位置への移動を妨げる嫌いがあるが、前記シール部材５９の奥側部分の表面にはポリエチレンテレフタレートや、ポリカーボネートと云った滑りのよい可撓性の樹脂フィルム７１を貼り合わせてある。
【００７２】
これによって、張り合わせた滑りのよい可撓性の樹脂シート７１が介在して、第２のごみ容器１４との密着シール性を損なわずに第２のごみ容器１４との摺接摩擦を軽減するので、第２の投入口１２側とのシール部材５９を介した接続、接続解除を伴う第２のごみ容器１４の出し入れが容易になる。もっとも、第２のごみ容器１４が第２の投入口１２に直接接続されるような場合でも同様な作用効果を発揮することができる。
【００７３】
第２のごみ容器１４内にも図１２に示すようにごみ袋１７１を装着してこれを着脱するように取り扱うのが、第２のごみ容器１４の汚れ防止や投入される乾燥ごみの取扱いに便利である。
【００７４】
そこで、図１２、図１４、図１５に示すように、第２のごみ容器１４にごみ袋１７１を収容して使用するため、袋口１７１ａを枠部材１７２に図１２に示すように折り返し巻きつけた状態で第２のごみ容器１４の口部に設けられた袋口装着段部１７３に載置するようにする。これによって、袋口１７１ａは枠部材１７２とともに袋口装着段部１７３に受止められて安定し、ごみの投入によっても乱れたり、脱落するようなことなく使用することができる。
【００７５】
特に、袋口装着段部１７３には凹部１７４を設けてあり、この凹部１７４が袋口装着部１７３に載置した枠部材１７２およびこれに折り返し巻きつけた袋口１７１ａから図１５に示すように離れているので、この離れた部分に手を入れることにより、載置した袋口１７１ａ部を難なく持ち上げられるし、載置するときでも載置作業する人の手を凹部１７４内に逃がせられるので、袋口１７１ａの着脱が容易である。
【００７６】
しかも、第２のごみ容器１４に収容し袋口１７１ａを袋口装着段部１７３に載置したごみ袋１７１が、第２のごみ容器１４の内面から図１６の（ｃ）のように浮き上がっていても、ごみ袋１７１の内面を第２のごみ容器１４の内周に沿わせるように手で押すと、ごみ袋１７１と第２のごみ容器１４との間に入り込んでごみ袋１７１を第２のごみ容器１４の内面から浮かせていた空気が前記袋口装着段部１７３の凹部１７４によって枠部材１７２およびこれに折り返し巻きつけた袋口１７１から離れている部分を通じて図１６の（ｄ）に示すように外部に追い出しながら、ごみ袋１７１を第２のごみ容器１４の内面に難なく短時間で沿わせられるので、ごみ袋１７１が第２のごみ容器１４から浮いた状態のまま効率悪く使用されることを解消することができる。
【００７７】
また、凹部１７４は、第２のごみ容器１４の相対向する少なくとみ２か所にあると、袋口１７１ａの両側を持って着脱しようとする両手に対する逃げとして同時に働くので、袋口１７１ａの着脱にさらに便利になるし、第２のごみ容器１４の内面から浮いたごみ袋１７１をその内面に沿わせるときの空気の逃げを複数箇所の凹部にてさらに促進するので、ごみ袋１７１を第２のごみ容器１４の内面にさらに沿わせやすくなる。
【００７８】
さらに、枠部材１７２は相対向する２か所にヒンジピン１７５によってヒンジ連結した折曲げ部１７６を設けてあり、この枠部材１７２を袋口装着段部１７２に先に載置しておき、その上で第２のごみ容器１４にごみ袋１７１を収容して袋口１７１ａを枠部材１７２の上に被さるようにし、次いで枠部材１７２の半部を、対向し合う２か所に設けられた折曲げ部１７６にて図１６の（ａ）に示すように折曲げるようにして起こすと、これに被さっている袋口１７１ａを起こした枠部材１７２半部の自由端部の下側に折り返して巻付け、この袋口１７１ａを巻きつけた枠部材１７２の半部をそのまま袋口装着段部１７３の上に倒してその自由端部側の袋口１７１ａ部分を装着状態とし、同様に反対側の半部を一旦起こして倒すことによりこれの自由端部側の袋口１７１ａ部分を図１６の（ｂ）に示すように装着状態とし、最後に相対向している２箇所にある枠部材１７２の各折曲げ部１７６をこれに被っている袋口１７１ａとともに両側の手で同時に持ち上げながら袋口１７１ａを図１６の（ｃ）に示すように各折曲げ部１７６の下側に折り返して巻付けた後、折曲げ部１７６を袋口装着段部１７３に落ち着かせると、袋口１７１ａの残る部分を一挙に装着状態にすることができ、第２のごみ容器１４およびごみ袋１７１の袋口１７１ａが大きな場合でも枠部材１７２を巧みにしかし簡易に用いて部分的に容易に装着することができる。
【００７９】
そして袋口装着段部１７３の凹部１７４が、枠部材１７２の、２か所の折曲げ部１７６に対応する部分と、これら折曲げ部１７６による各自由端部に対応する部分とに設けられて、枠部材１７２の各自由端部および折り曲げ部１７６の前記持ち上げ作業をする手に対し逃げとして働くので、折曲げ部１７６を有する枠部材１７２を利用した袋口１７１ａの部分的な装着作業をさらに容易にする。しかも、袋口装着段部１７３に凹部１７４が多い分だけごみ袋１７１を第２のごみ容器１４の内面に沿わせるときの空気の逃げを良くするのでさらに有利である。
【００８０】
口部材４６には図３、図８〜図１１に示すようにほぼ四角形な筒状で下向きに突出する第１、第２の投入口１１、１２が一体形成され、第１の投入口１１は本体４１のフランジ部４１ａの上面に開口する第１のごみ容器１３の口部１３ａに上方から嵌まり合って双方が連続し、第２の投入口１２も本体４１のフランジ部４１ａに開口する連絡通路５１の開口５１ａに上方から嵌まり合って双方が連続するようになっている。
【００８１】
したがって、第１の投入口１１に投入される生ごみ等は直接第１のごみ容器１３内に収容されるし、第２の投入口１２に投入される乾燥ごみ等は連絡通路５１および開口５８を介して第２のごみ容器１４内に収容される。
【００８２】
ごみ袋２６は樹脂フィルムからなるごみ袋を採用しているのに対応して、図１１に示すようにごみ袋２６の口部２６ａを止め枠８１に巻付けた状態で第１のごみ容器１３の口部の第１の投入口１１の直ぐ下に形成した袋口装着部としての上向き段部８２へ着脱できるように装着するようにしてある。さらに、第１の投入口１１の開口部に設けた口縁段部１１ｅに外周部で着脱できるように上方から嵌め付けた投入口ガイド８３を有し、この投入口ガイド８３には上向き段部８２に装着される袋口２６ａの内側部分にまで延びるガイド筒８３ｂと、このガイド筒８３ｂの下部の外側に前記上向き段部８２に装着される袋口２６ａを内側から押さえる袋口押さえ８３ａとを設けてあり、第２の投入口１２の側とこれとは反対の側での、前記袋口押え８３ａおよびガイド筒８３ｂの下端部との間に、吸引手段２７による第１のごみ容器１３の内部空気吸引のための通気路８４ａ、８４ｂを形成してある。
【００８３】
このように、ごみ投入口１１に嵌め付けられた投入口ガイド８３は、上向き段部８２に装着される袋口２６ａの内側部分にまで延びるガイド筒８３ｂによって、第１のごみ投入口１１に投入されるごみを第１のごみ容器１３に装着されたごみ袋２６の袋口２６ａの内側にまで案内するので、投入されるごみが袋口２６ａ部に引っ掛かって中に入り切らず、袋口２６ａ部に堆積して取出し時にこぼれ落ちたり、このように引っ掛かった生ごみや、袋口２６ａの内面に触れる生ごみやこれの水気によって袋口２６ａの内面が汚れ、ごみ袋を取り出した後にこれの口を閉じる作業者の手が汚れたり、閉じ部よりも外側になった生ごみやこれの水気が周りに落ちたり、他に触れてそれを汚したりするような不都合を解消することができる。
【００８４】
また、投入口ガイド８３のガイド筒８３ｂの下部の外側に設けた袋口押さえ８３ａが、第１のごみ容器１３の上向き段部８２に装着される袋口２６ａを内側から押さえるとともに、ガイド筒８３ｂと袋口押さえ８３ａとの間に形成した通気路８４ａ、８４ｂを通じて吸引手段２７が第１のごみ容器１３内の空気を吸引排気するので、実際にごみを収容するごみ袋２６内の空気をごみ袋２６の着脱構造の影響なしに吸引排気できるとともに、この吸引の影響も含め袋口２６ａ部が内側に浮き上がるようなことは、前記押さえ構造によって確実に防止されて、袋口２６ａ部が前記気通路８４ａ、８４ｂを塞ぐようなことがないので吸引排気の安定を図ることができるし、袋口部がガイド筒よりも内側に張り出して投入される生ごみやこれの水気に触れて汚れるようなことも確実に回避することができる。
【００８５】
第２の投入口１２では、連絡通路５１との嵌め合わせ部における連絡通路５１の第１のごみ容器１３の側に形成した図３、図２０に示すような凹部５１ｂによって、吸引手段２７による第２のごみ容器１４の内部空気吸引のための通路８５が形成されている。
【００８６】
通気路８４ａおよび８５は第１、第２のごみ容器１３、１４からの吸引手段２７による吸気路であって、第１のごみ容器１３と連絡通路５１とを形成している部分の間の通路８６を介して、第１、第２のごみ容器１３、１４が本体４１の側面に設けられた吸気ダクト８７に繋がり、さらに本体４１の後面に設けられた排気ファン８８に接続されている。排気ファン８８からは本体４１の他の側面に延びる排気ダクト８９が接続されている。
【００８７】
これによって、第１、第２の投入口１１、１２および第１、第２のごみ容器１３、１４は、前記のように主として生ごみを収容するものと、主として乾燥ごみを収容するものとに並設されて、２種類のごみを区分けして収容することができ、それぞれに適した収容状態が得られる。しかも、２組の第１、第２の投入口および第１、第２のごみ容器１３、１４があっても、各ごみ容器１３、１４が相互に連通されて１つの吸引手段２７を共用して内部空気が吸引排気されるので、特に構造が複雑化せずに２組の第１、第２の投入口１１、１２および第１、第２のごみ容器１３、１４の双方につき吸引排気による臭気の周りへの発散を防止することができる。
【００８８】
しかも、吸引手段２７の排気ファン８８等がごみ容器ブロックＤの特に本体４１まわりに装備されているので、吸引手段２７を設けるための特別な部材が不要でその分だけ構造が簡単なものとなっている。また、ボルト３３が前記吸引排気の通路や第１、第２のごみ容器１３、１４に連続する部分を貫通する箇所には、図８に示すようにシール部材１５１を設けて、ここでの吸引漏れや臭気の漏れが発生しないようにする。
【００８９】
また、通路８４ｂは外気の導入通路であって本体４１の後面に設けられた外気導入口９２に接続され、第２のごみ容器１４の外気導入路９３は前記底蓋５４に設けられている。これら外気導入口９２、９３は本体４１の後面に取り付けた電磁弁ユニット９６を経由する外気導入路９４に接続される。排気ダクト８９もまた電磁弁ユニット９６を経由する排気路９５に接続されている。
【００９０】
第２のごみ投入口１２に、第２のごみ容器１４が装着されていないのに気づかず、ごみを投入することが考えられ、流し台１の内部を汚損してしまう嫌いがある。
【００９１】
そこで、第２のごみ容器１４の装着を、第２のごみ投入口１２との間に、図示しないマグネットと、リードスイッチとによる検出手段を設け、第２のごみ投入口１２側のリードスイッチが、第２のごみ容器１４側のマグネットの存在を検出しない間は、図１に示すように流し台１のワークトップ２ａ前部に設けた電装部１２５の表示部に、この旨を表示したり、ブザーを作動させて、警告するようにするのが好適である。
【００９２】
なお、吸引ファン８８によって、第１、第２のごみ投入口１１、１２およびこれらに嵌め付けられ、また接続される第１、第２のごみ容器１３、１４内に、外気を吸込みながら、第１、第２のごみ投入口１１、１２および第１、第２のごみ容器１３、１４内の空気を吸引排気するが、前記外気の導入経路の途中にオゾン発生器を設け、内部空気の吸引排気の際に第１、第２のごみ投入口１１、１２および第１、第２のごみ容器１３、１４内にオゾンを供給できるようにすると、第１、第２のごみ容器１３、１４内のごみ、特に生ごみの腐敗をオゾンにて抑制するとともに生ごみから発生する臭気成分をオゾンにて分解し消臭することができる。吸引排気によっては、第１、第２のごみ容器１３、１４やこれに通じる第１、第２のごみ投入口１１、１２および第１、第２のごみ容器１３、１４の内部空間に漂い充満する空気、およびごみの間に捕捉され、また停滞している空気を強制排気することにより、隅々までの臭気を空気と排出し除去することができる。
【００９３】
本実施の形態では、この排気を水槽３からの排水路１１１に向けて行い、排水路１１１が繋がっている升１１２を経て大気に発散させるか、下水道１１３中に発散されるようにしている。水槽３の排水口２４の下には排水路１１１をＵ字条に屈曲させたトラップ１１４が設けられるので、前記排出空気がこれに含む臭気成分とともに排水路１１１を通じて水槽３に上がることはない。
【００９４】
図２３はこのような強制排気と、前記第１ごみ投入口１１に接続した第１のごみ容器１３からのドレン配管５３の排水路１１１への接続との各経路を模式的に示している。
【００９５】
この図で明らかなように、排気ファン８８は第１、第２のごみ容器１３、１４からの排気ダクト８９の途中に設けられ、第１、第２のごみ容器１３、１４への吸気ダクト８７を通じた第１、第２のごみ容器１３、１４への吸気を伴って強制排気を行う。
【００９６】
そして、排気ダクト８９と吸気ダクト８７とはソレノイド１１５によって同時に作動される排気弁１１６、吸気弁１１７によって排気ファン８８のオン、オフに連動して開閉され、前記吸気方式の排気が行えるようにしている。
【００９７】
排気ダクト８９および吸気ダクト８７の排気弁１１６、吸気弁１１７は、吸気ダクト８７が通じている第１、第２のごみ容器１３、１４および排気ダクト８９、下水道１１３内の臭気が流し台１側に逆流しないためのものである。
【００９８】
なお、排気弁１１６、吸気弁１１７は樹脂製の１つの弁ボックスに内装してある。排気ファン８８のオフとともに排気弁１１６、吸気弁１１７を閉じると、排気ファン８８の惰性回転による影響で、排気ファン８８の出口と排気弁１１６との間の圧力が上昇して弁ボックス等の組合せ面から臭気が漏れ出す嫌いがあるので、排気弁１１６、吸気弁１１７は排気ファン８８をオフした後、排気ファン８８が惰性回転を終えて停止するまでの時間だけ遅延して閉じるのが好適である。
【００９９】
水槽３は排水路１１１、排気ダクト８９および排気弁１１６等と連通しており、排水路１１１の詰まりがあると、排気ダクト８９、排気弁１１６の側に逆流する恐れがある。そこで、これを回避するのに排気ダクト８９の排水路１１１から排気弁１１６に至るまでの途中を図２２に示すように水槽３の少なくとも底部よりも上の位置を迂回しかつ拡張室１３１ａとなったリザーバタンク１３１を設けてある。
【０１００】
これにより、排気弁１１６や排気ファン８８等の機器が逆流水に浸ってしまうようなことを回避することができる。また、排水路１１１が詰まったような場合に、水槽３の排水口２４ではラバーカップ１３２によって圧縮空気が送り込まれるようなことがある。この際、送り込まれる圧縮空気によって排水路１１１の詰まりが解消されないとき、前記圧縮空気によって加圧された排水路１１１内の水が多量に逆流することが考えられる。しかし、この場合でも逆流する多量の水は前記リザーバタンク１３１にまで流れ込んで溜められ、その先への逆流が阻止されるので、前記同様に排気弁１１６や排気ファン８８等の機器が逆流水に浸ってしまうようなことを回避することができる。
【０１０１】
前記のように一部からの吸気を伴った排気は、第１、第２のごみ投入口１１、１２の一方が少しでも開かれているときには、これを十分に働かせるのが好適であり、臭気が開口部からキッチン内に発散しようとするのを、第１、第２のごみ投入口１１、１２の開口部からキッチン内の空気を吸引しながら排気ダクト８９へ強制排気して、キッチン内に臭気が発散するようなことを確実に防止することができる。
【０１０２】
第１、第２のごみ投入口１１、１２の双方が閉じられているときは、強制排気を弱めて行うか、間欠的に行うかして負荷を少なくするのがよく、場合によっては間欠作動でしかも低速としてもよい。場合によっては強制排気を停止しておくこともできる。
【０１０３】
このような制御のために、第１、第２の蓋１５、１６の開閉を、図３等に示すようにこれら第１、第２の蓋１５、１６に設けたマグネット１２１、１２２と第１、第２のごみ投入口１１、１２の内側に設けたリードスイッチ１２３、１２４とによって、第１、第２の蓋１５、１６の開閉を検出できるようにしてある。
【０１０４】
また、これによる第１、第２の蓋１５、１６の一方でも所定時間以上開かれている場合は、第１、第２の蓋１５、１６が不用意に開いているか、閉め忘れと判断して、前記電装部１２５の表示部にて警告を行うのがよい。
【０１０５】
もっとも、前記第１、第２のごみ容器１３、１４が装着されていないことの警告と、第１、第２の蓋１５、１６の閉め忘れの警告の表示とは異ならせるのが好適であり、文字表示や絵での表示によって個別化できる。
【０１０６】
さらに、前記電送部１２５は、前記各動作部材を制御する制御回路を内蔵しており、これの正面には図１等に示すように、電源スイッチ１２６と、ごみ容器ブロックＤが収容された収納部５の扉４の開閉を検知する反射型のセンサ１２７が設けられ、反射型のセンサ１２７が扉４が開かれたことを検出したとき、吸引手段２７を高速で連続的に働かせて、第１、第２の投入口１１、１２および第１、第２のごみ容器１３、１４の内部空気の強制排気を強力に行い、第２の容器１４が外されたときのキッチン内への臭気の発散を十分に抑えられるようにしてある。
【０１０７】
【発明の効果】
請求項１の発明によれば、ごみ容器に収容して使用するごみ袋の袋口を枠部材に折り返し巻きつけた状態でごみ容器の口部に設けられた袋口装着段部に載置し、ごみの投入によっても乱れたり、脱落するようなことなく使用することができる。
【０１０８】
特に、袋口装着段部に設けた凹部は、袋口装着部に載置した枠部材およびこれに折り返し巻きつけた袋口から離れているので、この離れた部分に手を入れることにより、載置した袋口部を難なく持ち上げられるし、載置するときでも載置作業する人の手を凹部内に逃がせられるので、袋口の着脱が容易である。
【０１０９】
しかも、ごみ容器に収容し袋口を袋口装着段部に載置したごみ袋が、ごみ容器の内面から浮き上がっていても、ごみ袋の内面をごみ容器の内周に沿わせるように手で押すと、ごみ袋とごみ容器との間に入り込んでごみ袋をごみ容器の内面から浮かせていた空気が前記袋口装着段部の凹部によって枠部材およびこれに折り返し巻きつけた袋口から離れている部分を通じて外部に追い出しながら、ごみ袋をごみ容器の内面に難なく短時間で沿わせられるので、ごみ袋がごみ容器から浮いた状態のまま効率悪く使用されることを解消することができる。
【０１１０】
また、凹部が、ごみ容器の相対向する少なくとも２か所にあて、袋口の両側を持って着脱しようとする両手に対する逃げとして同時に働くので、袋口の着脱にさらに便利になるし、ごみ容器の内面から浮いたごみ袋をその内面に沿わせるときの空気の逃げを複数箇所の凹部にてさらに促進するので、ごみ袋をごみ容器の内面にさらに沿わせやすくなる。
【０１１１】
さらに、枠部材を袋口装着段部に先に載置しておき、その上でごみ容器にごみ袋を収容して袋口を枠部材の上に被さるようにし、次いで枠部材の半部を、対向し合う２か所に設けられたヒンジ連結した折曲げ部にて折り曲げるようにして起こすと、これに被さっている袋口を起こした枠部材半部の自由端部の下側に折り返して巻き付け、この袋口を巻きつけた枠部材の半部をそのまま袋口装着段部の上に倒してその自由端部側の袋口部分を装着状態とし、同様に反対側の半部を一旦起こして倒すことによりこれの自由端部の袋口部分を装着状態とし、最後に相対向している２か所にある枠部材の各折り曲げ部をこれに被っている袋口と共に両側の手で同時に持ち上げながら袋口を各折曲げ部の下側に折り返して巻き付けた後、折曲げ部を袋口装着段部に落ち着かせると、袋口の残る部分を一挙に装着状態にすることができ、ごみ容器およびごみ袋の袋口が大きな場合でも枠部材を巧みにしかし簡易に用いて部分的に容易に装着することができる。
【０１１２】
さらにまた、袋口装着段部の凹部が、枠部材の、２か所の折曲げ部に対応する部分と、これら折曲げ部による各自由端部に対応する部分とに設けられて、枠部材の各自由端部および折曲げ部の前記持ち上げ作業をする手に対し逃げとして働くので、折曲げ部を有する枠部材を利用した袋口の部分的な装着をさらに容易にする。しかも、袋口装着段部に凹部が多い分だけごみ袋をごみ容器の内面に沿わせるときの空気の逃げをよくするのでさらに有利である。
【図面の簡単な説明】
【図１】本発明のキッチンの作業台構造の１つの実施の形態を採用したキッチンの流し台の斜視図である。
【図２】図１の流し台構造の大きなブロック分け構成を示す斜視図である。
【図３】図１の流し台の第１、第２のごみ投入口部の分解斜視図である。
【図４】図１の流し台のシンク部材の一部を示す平面図である。
【図５】第１の蓋の平面図、左右両側面図および断面図である。
【図６】第２の蓋の平面図、側面図および断面図である。
【図７】図２のごみ容器ブロックに備える本体の平面図である。
【図８】図２の投入口ブロックとごみ容器ブロックとの結合構造を示す断面図である。
【図９】第１、第２の投入口部の断面図である。
【図１０】第２の投入口部の断面図である。
【図１１】第１の投入口部の断面図である。
【図１２】ごみ容器ブロックの本体への第２のごみ容器の接続構造を示す断面図である。
【図１３】図１２の正面図である。
【図１４】図１２の第２のごみ容器の平面図である。
【図１５】図１２の第２のごみ容器の断面図である。
【図１６】図１２の第２のごみ容器のごみ袋装着の手順を示す説明図である。
【図１７】バックルによる連結部分を示す断面図である。
【図１８】第２のごみ容器とガイドレールとの分解斜視図である。
【図１９】投入口、ごみ容器各ブロックの取付け状態の全体構成を示す左側面図である。
【図２０】投入口、ごみ容器各ブロックの取付け状態の全体構成を示す右側面図である。
【図２１】投入口、ごみ容器各ブロックの取付け状態の全体構成を示す正面図である。
【図２２】投入口、ごみ容器各ブロックの取付け状態の全体構成を示す平面図である。
【図２３】吸引手段の全体構成を示す概念図である。
【符号の説明】
１４  第２のごみ容器
１７１  ごみ袋
１７１ａ  袋口
１７２  枠部材
１７３  袋口装着段部
１７４  凹部
１７５  ヒンジピン
１７６  折曲げ部
【図１】
0003552799.tif 000002
【図２】
0003552799.tif 000003
【図３】
0003552799.tif 000004
【図４】
0003552799.tif 000005
【図５】
0003552799.tif 000006
【図６】
0003552799.tif 000007
【図７】
0003552799.tif 000008
【図８】
0003552799.tif 000009
【図９】
0003552799.tif 000010
【図１０】
0003552799.tif 000011
【図１１】
0003552799.tif 000012
【図１２】
0003552799.tif 000013
【図１３】
0003552799.tif 000014
【図１４】
0003552799.tif 000015
【図１５】
0003552799.tif 000016
【図１６】
0003552799.tif 000017
【図１７】
0003552799.tif 000018
【図１８】
0003552799.tif 000019
【図１９】
0003552799.tif 000020
【図２０】
0003552799.tif 000021
【図２１】
0003552799.tif 000022
【図２２】
0003552799.tif 000023
【図２３】
0003552799.tif 000024